(57)【特許請求の範囲】
【請求項１】
使用者の腹部のうち臍部を中心とする上腹部と下腹部との間の中腹部に当てる曲面部を形成したパッドと、一端部が前記パッドの一端部に連結され、他端部が前記パッドの他端部に連結されたゴム製のバンドとを備えたスノーボード練習用具において、
前記使用者の前記中腹部に前記パッドの前記曲面部を当てて、前記バンドにより前記パッドを前記使用者に装着してスノーボードの練習をする際、前記スノーボード上で膝を曲げ、前記曲面部を前記中腹部に当てて前記パッドを抱き込むことにより、前記使用者の重心を前記スノーボード寄りに低下させた基本姿勢を保持することを特徴とするスノーボード練習用具。
【請求項２】
中央に半円筒状に形成され中央に位置する主部と前記主部の左端部および右端部にそれぞれゴム紐により連結された左半筒部と右半筒部とを有するパッドと、一端部が前記左半筒部の前記ゴム紐に連結され、他端部が前記右半筒部の前記ゴム紐に連結されたゴム製のバンドとを備えたスノーボード練習用具において、
使用者の腹部のうち臍部を中心とする上腹部と下腹部との間の中腹部に前記主部の曲面部を当てて、前記バンドにより前記パッドを前記使用者に装着し、スノーボードの練習をする際、前記スノーボード上で膝を曲げ、前記曲面部を前記中腹部に当てて前記パッドを抱き込むことにより、前記使用者の重心を前記スノーボード寄りに低下させた基本姿勢を保持することを特徴とするスノーボード練習用具。
【請求項３】
前記パッドは、一枚の弾性板を弾性変形により湾曲状に曲成した半円筒状を成し、前記パッドの中央部には、前記中腹部に沿わすため、折曲げ可能な可撓性の蛇腹部を一体に形成していることを特徴とする請求項１に記載のスノーボード練習用具。
【請求項４】
前記パッドは、一枚の弾性板を弾性変形により湾曲状に曲成した半円筒状を成し、対向する上下の内面部に、軸方向に沿う複数列の蟻溝を形成する一方、上下の両端面に蟻ほぞが形成された一定幅の調整板を備え、上下の前記蟻ほぞを上下の前記蟻溝に選択的にスライドさせて嵌め込むことにより、前記パッドの前記曲面部を拡縮弾性変形し、その曲率半径を大小変更可能にしたことを特徴とする請求項１に記載のスノーボード練習用具。
【請求項５】
前記パッドの前記中腹部の周りに対応する内側部は、前記中腹部に沿ように弧状に曲成されていることを特徴とする請求項１に記載のスノーボード練習用具。
【請求項６】
前記バンドに代わって、胴部、タイツ部および前記胴部の左右に延出された腹巻部の各ウエアパーツから成る防寒用のインナーウエアを備え、前記腹巻部を前記パッドに左右両端に着脱自在に取り付けたことを特徴とする請求項１に記載のスノーボード練習用具。
【請求項７】
前記パッドは合成樹脂により半円筒状の中空に形成され、この中空内に同芯状に丸めたスポンジ板を充填していることを特徴とする請求項１に記載のスノーボード練習用具。
【請求項８】
前記パッドは合成樹脂により半円筒状の中空に形成され、この中空内を小物入れ室とすることを特徴とする請求項１に記載のスノーボード練習用具。
【請求項９】
前記パッドの前記曲面部には、軸方向に沿って直線状を成す断面弧状の突条部が一体形成されていることを特徴とする請求項１に記載のスノーボード練習用具。
【請求項１０】
前記パッドの前記曲面部には、軸方向に沿って直線状を成すスリットが設けられ、前記スリットには、断面弧状で径寸法の異なる二個の突状部を有する弾性体製の棒状部が弾性変形を伴って前記二個の突状部のうちいずれかを選択的に外部に向けて着脱可能に設けられることを特徴とする請求項１に記載のスノーボード練習用具。
【発明の詳細な説明】
【技術分野】
【０００１】
本発明は、使用者の腹部に当て具としてパッドを装着するスノーボード練習用具に係り、とりわけ、初心者や初級者などの練習者にありがちな棒立ち姿勢などを合理的に矯正し、基本姿勢を常に意識させて練習者のスノーボード滑走を短期間で効果的に上達させるように改良したスノーボード練習用具に関する。
【背景技術】
【０００２】
一枚のボードに乗って雪面を滑走する競技や遊びであるスノーボードでは、初心者や初級者などの練習者Ｕが試乗すると、図９（ｂ）に示す棒立ち姿勢、または図９（ｃ）に示すように、進行方向に対して上半身を前方に向け過ぎる姿勢、あるいは図９（ｄ）に示すように、頭部が爪先側に倒れ込み、臀部が踵側に突き出る姿勢になり易い。すなわち、バランスの取り難い姿勢、転倒し易い姿勢で滑走している者が多くいる。
【０００３】
雪面を安定感を持って滑走する滑走者であれば、図９（ａ）に基本姿勢で示す態様を保持することができる。すなわち、スノーボードＳｐに乗る者の腹部の位置が低い姿勢では、深い懐ろ姿勢であり、高い位置では浅い懐を形成するのが望ましい。
【０００４】
事実、練習時の指導では、スノーボードＳｐに荷重を掛ける際、スノーボードＳｐを和式トイレに見立て、屈み込むようようにイメージして腰を下ろすように助言している。
練習者Ｕの重心をスノーボードに近づけることで安定した滑りを実現させ得るからである。ここで、懐の深さとは、ドッチボール競技でボールを抱え込むイメージを想定している（図９（ａ）の二点鎖線参照）。要するに、基本姿勢とは、下半身の関節を折り曲げ、両膝を等しく曲げて造り、これらの部位が三角形を成す安定した低い姿勢であり、顔面を進行方向に沿わせ、肩の力を抜いて両腕を軽く広げた気張らない格好である。
【先行技術文献】
【特許文献】
【０００５】
【特許文献１】特許第５０２２０８５号公報
【特許文献２】実新案登録第３０５９９８３号公報
【特許文献３】特開２００７−７２４１６号公報
【特許文献４】特開２００５−２８０８８４号公報
【発明の概要】
【発明が解決しようとする課題】
【０００６】
しかしながら、雪面上を走行している際、スノーボードＳｐ上で、図９（ａ）に示すように、基本姿勢を保持しようとすると、人は前向きで歩く習性を持つので、横乗りのスノーボードＳｐには、図９（ｃ）に示すように、進行方向に対して練習者が上半身を開いて前方を向こうとしたり、図９（ｂ）に示すように、楽な姿勢で棒立ちになったり、図９（ｄ）に示すように、低い姿勢になろうとする。この時、練習者Ｕの頭部だけが下がって臀部を突き出した格好となるため、臍部を下げることができず、低く屈む位置の姿勢をとることができない。柔軟性や筋肉力などの膂力性や体格により練習者の個人差があるものの、スノーボードＳｐでの滑走時には、臍部を下げて全体の重心を低く移動させることが望ましい。
【０００７】
このように、スノーボードで滑走をしようとする初心者や初級者などの新参の練習者Ｕにとって、スノーボードＳｐ上で基本姿勢を保持することが大切である。ところが、基本姿勢への矯正については、その問題を解決する有効な練習用具はなく、練習者Ｕは指導者から指摘を受けて自ら直す域を出ないものであった。
【０００８】
ちなみに、特許文献１は、スノーボード練習用具を開示し、スノーボード上に調節可能に設けた紐具を用いて滑走者の後傾姿勢を矯正するものである。後傾姿勢を矯正するものの、スノーボード上の滑走者を基本姿勢に矯正することについては、教示は勿論、示唆もないものである。
特許文献２は腹筋健康器に関するもので、半球ボール体を有する腹当て板を人体胴部にバンド締結する技術を開示している。半球ボール体により腹筋の鍛練強化と贅肉を削ぎ落としてダイエット効果を期すものである。
【０００９】
特許文献３は発声パワーベルトに係り、ゴム製の幅広ベルトに腹当て具や腰当て具を取り付けている。ベルトを腹部と腰部に強く締めることで、発声が容易になり、ウエストを絞って痩身化を図り、併せて腰痛の予防治療に効能を期するものである。
特許文献４は運搬補助用のウエストバッグに係り、運搬者の腰回りに装着するベルト部を有している。ベルト部には、装着時に腹部に押し当てられる腹当て部を備えている。ベルト部の装着により、運搬時の負担を軽減し、運搬作業の効率化を図っている。
特許文献２−４は腹部回りのベルトを有しているものの、いずれも、特許文献１と同様に、ボード上の滑走者を基本姿勢に矯正することへの教示や示唆は皆無である。
【００１０】
本発明は上記事情に鑑みてなされたもので、その目的は、スノーボードの初心者や初級者などの新参の練習者にありがちな棒立ち姿勢や進行方向に対して上半身を前方に向け過ぎる姿勢、ならびに頭部が爪先側に倒れ込み、臀部が踵側に突き出る姿勢を合理的に矯正し、基本姿勢を常に意識させて練習者のスノーボード滑走を短期間で効果的に上達させるスノーボード練習用具を提供することにある。すなわち、本願は爪先・踵側のバランスを取り易くするスノーボード練習用具でもある。
【課題を解決するための手段】
【００１１】
（請求項１について）
使用者の腹部のうち臍部を中心とする上腹部と下腹部との間の中腹部に当てる曲面部を形成したパッドと、一端部がパッドの一端部に連結され、他端部がパッドの他端部に連結されたゴム製のバンドとを備えている。
使用者の中腹部にパッドの曲面部を当てて、バンドによりパッドを使用者に装着してスノーボードの練習をする際、スノーボード上で膝を曲げ、曲面部を中腹部に当ててパッドを抱き込むことにより、使用者の重心をスノーボード寄りに低下させた基本姿勢を保持する。
【００１２】
請求項１では、パッドの装着時、練習者の上腹部と下腹部との間の中腹部に曲面部を有するパッドを当てて抱き込む。パッドをゴム素材のバンドで着用することで、曲面部が中腹部に対して常に押圧感を与え、ドッチボールを抱え込むイメージの懐を意識させて、スノーボード上で膝を曲げ、使用者の重心をスノーボード寄りに低く移動させた基本姿勢を保持する。
すなわち、スノーボード滑走の初心者や初級者などの新参の練習者にありがちな棒立ち姿勢や進行方向に対して上半身を前方に向け過ぎる姿勢、ならびに頭部が爪先側に倒れ込み、臀部が踵側に突き出る姿勢を合理的に矯正し、基本姿勢を常に意識させて練習者のスノーボード滑走を短期間で効果的に上達させることができる。
【００１３】
（請求項２について）
中央に半円筒状に形成され中央に位置する主部と主部の左端部および右端部にそれぞれゴム紐により連結された左半筒部と右半筒部とを有するパッドが設けられている。ゴム製のバンドは、一端部を左半筒部のゴム紐に連結し、他端部を右半筒部のゴム紐に連結している。
使用者の腹部のうち臍部を中心とする上腹部と下腹部との間の中腹部に主部の曲面部を当てて、バンドによりパッドを使用者に装着する。スノーボードの練習をする際、スノーボード上で膝を曲げ、曲面部を中腹部に当ててパッドを抱き込むことにより、使用者の重心をスノーボード寄りに低下させた基本姿勢を保持する。
【００１４】
請求項２では、請求項１と同様な効果を奏する他、使用者がバンドを中腹部に強く巻くほど、ゴム紐が長く伸びて右半筒部および左半筒部が中腹部に対して曲り難くなる。このため、バンドを強く締めても、右半筒部および左半筒部が中腹部に強く食い込むことがなくて安心して使用することができる。  
【００１５】
（請求項３について）
パッドは、一枚の弾性板を弾性変形により湾曲状に曲成した半円筒状を成し、パッドの中央部には、中腹部に沿わすため、折曲げ可能な可撓性の蛇腹部を一体形成している。
請求項３では、パッドが蛇腹部を有するので、パッドを使用者の中腹部にぴったり沿わせて着用し易くなる。
【００１６】
（請求項４について）
パッドは、一枚の弾性板を弾性変形により湾曲状に曲成した半円筒状を成す。対向する上下の内面部に、軸方向に沿う複数列の蟻溝を形成する一方、上下の両端面に蟻ほぞが形成された一定幅の調整板を備える。
上下の蟻ほぞを上下の蟻溝に選択的にスライドさせて嵌め込むことにより、パッドの曲面部を拡縮弾性変形し、その曲率半径を大小変更可能に設定している。
【００１７】
請求項４では、上下の蟻ほぞを上下の蟻溝に選択的に嵌め込むことで、パッドの曲面部が拡縮弾性変形するため、使用者の着用状況に応じて曲面部の曲率半径を所望に変更して腹部に装着し易いように調整することができる。
【００１８】
（請求項５について）
パッドの中腹部の周りに対応する内側部は、中腹部に沿ように弧状に曲成されている。このため、パッドを中腹部に正確に当て易くなり、使用者が滑走時に基本姿勢をとるように矯正し易くなる。
【００１９】
（請求項６について）
バンドに代わって、胴部、タイツ部および胴部の左右から延出された腹巻部の各ウエアパーツから成る防寒用のインナーウエアを備え、腹巻部をパッドに左右両端に着脱自在に取り付けている。このため、パッドを防寒用のインナーウエアとともに、着用することができて便利である。
【００２０】
（請求項７について）
パッドは合成樹脂により半円筒状の中空に形成され、この中空内に同芯状に丸めたスポンジ板を充填している。このため、スポンジ板が空気層を含み、腹部への保温効果を発揮する。
【００２１】
（請求項８について）
パッドは合成樹脂により半円筒状の中空に形成され、この中空内を小物入れ室とする。このため、パッドの中空内に財布や携帯電話など日常の小物品を収納しておいたり、救急箱としても使用できる便宜が得られる。とりわけ、携帯電話を収納する場合には、練習者の転倒時の衝撃で生じる携帯電話の破損を防ぐことができる。
【００２２】
（請求項９について）
パッドの曲面部には、軸方向に沿って直線状を成す断面弧状の突条部が一体形成されている。この場合、パッドの装着時、曲面部を上腹部および下腹部に当て、突条部を中腹部に当てることができる。このため、パッドが位置ずれすることなく腹部に密着してパッドの装着状態がよくなる。
【００２３】
（請求項１０について）
パッドの曲面部には、軸方向に沿って直線状を成すスリットが設けられている。スリットには、断面弧状で径寸法の異なる二個の突状部を有する弾性体製の棒状部が弾性変形を伴って二個の突状部のうちいずれかを選択的に外部に向けて着脱可能に設けられる。このため、二個の突状部のうち使用者の中腹部に適した突状部を選択して中腹部に当てることができる。
【図面の簡単な説明】
【００２４】
【図１】スノーボード練習用具のパッドを示す斜視図である（実施例１）。
【図２】パッドを着用して基本姿勢をとる練習者を示す模式的な斜視図である（実施例１）。
【図３】スノーボード練習用具のパッドを示す分解斜視図である（実施例２）。
【図４】（ａ）、（ｂ）はパッドを示す分解斜視図である（実施例３、４）。
【図５】インナーウエアと一緒に示すパッドの平面図である（実施例５）。
【図６】（ａ）、（ｂ）はパッドを示す斜視図である（実施例６）。
【図７】（ａ）、（ｂ）はパッドを示す斜視図である（実施例７）。
【図８】（ａ）、（ｂ）はパッドを示す斜視図である（実施例８、９）。
【図９】（ａ）−（ｄ）は練習者が滑走時にスノーボード上で示す種々の姿勢を描く模式図である。
【図１０】（ａ）−（ｅ）は練習者が滑走時にスノーボード上で示す種々の姿勢を描く模式図である。
【発明を実施するための形態】
【００２５】
本発明のスノーボード練習用具では、スノーボードの初心者や初級者などの新参の練習者にありがちな不具合を簡素な用具で合理的に矯正する構成を備え、練習者のスノーボード滑走を短期間で効果的に上達させる構成を技術的特徴とする。
【実施例】
【００２６】
〔実施例１の構成〕
本発明の実施例１に係るスノーボード練習用具を図１、図２および図９、図１０を参照しながら説明する。以後、スノーボードの滑走者については、使用者、練習者、初心者および初級者と異なる語句を用いるが、同一の意味で用いるとする。図９については、便宜上の観点から「背景技術」の欄で用いた図と同一の図面を共用する。
【００２７】
図１におけるスノーボード練習用具１は、例えば、合成樹脂により半円筒状に形成されたパッド２を有する。パッド２の弧状の曲面部２ａは、例えば、円錐曲面部に沿って形成されたもので、図２に示す使用者Ｕの腹部Ｐ１のうち臍部Ｐ２を中心とする上腹部Ｐ３と下腹部Ｐ４との間の中腹部Ｐ５の窪みに装着される。パッド２の中空内には、同芯状に丸めたスポンジ板Ｓ１−Ｓ４を充填し、スポンジ板Ｓ１−Ｓ４には空気を含ませて中腹部Ｐ５への保温性を付与している。
【００２８】
パッド２の曲面部２ａとは反対側の開口端には、蓋板３が被着されている。パッド２の左右両側には耳部４、５が延出されている。一方の耳部４と他方の耳部５との間は、中央部にゴム紐６を長さ調整可能に連結したゴム製のバンド７が取り付けられている。
股入れ紐部８は、一端を左側の耳部４に連結し、他端を右側の耳部５に連結している。締付け紐部９は、一端を股入れ紐部８の中央に連結固定し、他端を取付板７ａを介してゴム紐６に連結固定している。
【００２９】
パッド２の着用時には、図２に示すように、締付け紐部９を使用者の両腿部Ｐ６、Ｐ７の間に引き込むようにして履き、曲面部２ａを中腹部Ｐ５に当ててバンド７を腹部Ｐ５に巻く。この状態で、スノーボードＳｐ上で膝Ｐ１０を曲げ、曲面部２ａを中腹部Ｐ５に当ててパッド２を抱き込むことにより、使用者Ｕの重心をスノーボードＳｐ寄りに低下させた基本姿勢を保持することができる。パッド２の着用については、使用者Ｕの素肌に直接装着してもよいし、肌着の上に装着してもよく、使用状況や練習状況などに応じて自由な態様で着用することができる。
【００３０】
すなわち、平地でバンド７と一緒に股入れ紐部８および締付け紐部９を履き、パッド２を練習者の腹部に装着し、図９（ｂ）に示す棒立ち姿勢から、下記の（ａ）−（ｃ）の事項に記すようにする。
（ａ）パッド２の曲面部２ａを練習者の臍部Ｐ２の中心部に当てる。
（ｂ）臍部Ｐ２を中心として腹部Ｐ１の上腹部Ｐ３と下腹部Ｐ４（恥骨近傍）との間の中腹部Ｐ５でパッド２を挟むことにより位置保持する。
（ｃ）パッドを腹部Ｐ１に保持しながら、頭部Ｐ８をスノーボードＳｐの上方に位置させた後に、図９（ａ）で示すように、足首Ｐ９、膝Ｐ１０、および股関節Ｐ１１の順で屈む。
【００３１】
パッド２にゴム素材のバンド７の引張力を加えることにより、中腹部Ｐ５に対するパッド２の適度な圧迫を加え、滑走時に基本姿勢を意識させ、図９（ｂ）に示す棒立ち滑りから基本姿勢へ立ち戻る矯正力を効かす。
【００３２】
中腹部に対するパッド２の適度な圧迫力により、図９（ｃ）に示すように、練習者Ｕの上半身を前方に向け過ぎてしまっても、滑走時に直ぐに気付き、練習者Ｕを（ｂ）の事項の動作に立ち返らせる。
中腹部Ｐ５に対するパッド２の適度な圧迫力により、図９（ｄ）に示すように膝Ｐ１０が曲がらず、腰を曲げた屈曲姿勢になっても、滑走時に、練習者Ｕに（ｂ）、（ｃ）の事項を意識させて低く屈むように促して矯正させる。
【００３３】
滑走時に練習者に（ｂ）、（ｃ）の事項を意識させることで、練習者Ｕが荷重を掛けるスノーボードＳｐに対し、恐怖心を起こすことなく、和式トイレで屈むような所作が反射的に生じ、練習者Ｕの重心となる臍部Ｐ２がスノーボードＳｐに近づいて滑走状態が安定する。
また、滑走時に練習者Ｕに（ｂ）、（ｃ）の事項を意識させることで、図１０（ａ）、（ｂ）に示すように、ジャンプ台で行うアプローチの姿勢である直滑降が安定する。
【００３４】
また、滑走時に練習者Ｕに（ｂ）、（ｃ）の事項を意識させることで、図１０（ｃ）、（ｄ）に示すように、サイドスリップが安定する。
初心者や初級者は、頭部が爪先側に下がって臀部が踵側に突き出て、いわゆる「へっぴり腰」になってしまったり、胸を張って背中を反り過ぎた後反り姿勢、若しくは棒立ち姿勢になる傾向があるが、これらの傾向は、上記（ｂ）、（ｃ）の事項を意識させることで矯正することができる。
【００３５】
ターン滑走の後半では、図１０（ｅ）に示すように、遠心力や重力落下により練習者Ｕの身体が外側に飛ばされそうになる。この時、特に爪先で見られる棒立ち姿勢や後反り姿勢では、練習者Ｕの姿勢が遠心力や重力落下に持ち堪えられず、基本姿勢から外れて踵側のエッジが掛かってしまう。
すなわち、逆エッジ状態に陥って練習者Ｕが後頭部を強打する虞れがあるが、上記（ｂ）、（ｃ）の事項を意識することにより、強打の虞を回避することができる。このため、練習者Ｕへの現場指導では、ターン滑走の後半では低い姿勢を意識して、ドッチボールを抱き込む動作をイメージするように促している。
【００３６】
実施例１では、パッド２の装着時、練習者Ｕの上腹部Ｐ３と下腹部Ｐ４との間の中腹部Ｐ５に曲面部２ａを当ててパッド２を当てて抱き込む。パッド２をゴム素材のバンド７で着用することで、曲面部２ａが中腹部Ｐ５に対して常に押圧感を与え、ドッチボールを抱え込むイメージの懐を意識させて、スノーボードＳｐ上で膝Ｐ１０を曲げ、使用者Ｕの重心をスノーボードＳｐ寄りに低く移動させた基本姿勢を保持する。
事実、臍部Ｐ２を適度に圧迫することにより、恥骨を使用者Ｕの前方に上げ易くなり、爪先側や踵側のバランスをとり易くなる。
【００３７】
すなわち、スノーボード滑走の初心者や初級者などの新参の使用者や練習者Ｕにありがちな棒立ち姿勢や進行方向に対して上半身を前方に向け過ぎる姿勢、ならびに頭部が爪先側に倒れ込み、臀部が踵側に突き出る姿勢を合理的に矯正し、基本姿勢を常に意識させて練習者のスノーボード滑走を短期間で効果的に上達させることができる。
しかも、パッド２を合成樹脂から半円筒状に形成したので、軽量で携帯に便利で取扱い易くなるとともに、製造コストが低減化し、廉価な練習具として拡販・普及に役立てることができる。
【００３８】
〔実施例２の構成〕
図３は本発明の実施例２を示す。実施例２が実施例１と異なるところは、曲面部２ａの曲率半径を所望に変更できるようにしたことである。
この場合、パッド２は、一枚の弾性板を弾性変形により湾曲状に曲成した中空の半円筒状を成す。上下に対向する内面部に、軸方向に沿う２列の蟻溝１０、１１を形成している。また、一定の幅寸法Ｈ１を有する別体の調整板１４が用意され、その上下の両端面に、蟻溝１０、１１に対応する蟻ほぞ１２、１３を一体に形成している。
【００３９】
上下の蟻ほぞ１２、１３を上下の蟻溝１０（１１）に調整板１４の端部から選択的にスライドさせて嵌め込むことにより、パッド２の曲面部２ａを拡縮弾性変形し、その曲率半径を大小変更可能にしている。図２の状態では、パッド２の曲面部２ａとは反対側の開口部の幅寸法をＨ２とし、上下に対向する蟻溝１１、１１（１０、１０）間の距離をＨ３（Ｈ４）とすると、Ｈ２＞Ｈ３＞Ｈ４＞Ｈ１の大小関係がある。この場合、バンド７の一端部は、パッド２の左端に貫通してループ状に連結固定され、他端部はパッド２の右端に貫通してループ状に連結固定されている。
【００４０】
実施例２では、上下の蟻ほぞ１２、１３を上下の蟻溝１０、１１に選択的に嵌め込むことにより、パッド２の曲面部２ａが拡縮弾性変形するため、練習者Ｕの着用状況に応じて曲面部２ａの曲率半径を所望に変更して腹部Ｐ５に装着し易いように調整することができる。
なお、蟻溝１０、１１を２列に設定したが、使用状況などに応じて３列や４列などの複数列に設定してもよい。上記の大小関係は一例であり、曲面部２ａの曲率半径（曲り具合）の大小変更に係るＨ１、Ｈ２、Ｈ３、Ｈ４との間の大小関係は所望に設定でき、例えばＨ１＞Ｈ２＞Ｈ３＞Ｈ４の関係にしてもよい。
また、幅寸法Ｈ１の異なる複数の調整板１４を用意し、練習者Ｕの所望に応じて適宜の調整板１４を選択して蟻溝１０、１１に嵌め込むようにしてもよい。
【００４１】
〔実施例３の構成〕
図４（ａ）は本発明の実施例３を示す。実施例３が実施例１と異なるところは、パッド２を合成樹脂により中空に形成し、この中空内を小物入れ室２ｂとしたことである。
この場合、パッド２の左右両端部は閉鎖板２ｆ、２ｇにより閉塞されており、パッド２の上面には、小物品の出入口１５が形成され、出入口１５を開閉する布製のファスナー付蓋部材１６が設けられている。出入口１５の閉鎖時、蓋部材１６は、蓋板３に設けられたファスナー１６ａに剥離可能に結着する。
実施例３では、パッド２の中空内に財布や携帯電話など日常の小物品を収納しておいたり、怪我などの際に応急手当を施す治療薬や包帯などを入れる救急箱として使用してもよい。
【００４２】
〔実施例４の構成〕
図４（ｂ）は本発明の実施例４を示す。実施例４が実施例１と異なるところは、パッド２の中腹部Ｐ５の周りに対応する内側部２ｄを中腹部Ｐ５に沿わせるため、緩やかな弧状を成すように曲成したことである。
実施例４では、パッド２を中腹部Ｐ５に正確に当て易くなり、練習者Ｕが滑走時に基本姿勢をとるように矯正し易くなる。
【００４３】
〔実施例５の構成〕
図５は本発明の実施例５を示す。実施例５が実施例１と異なるところは、パッド２を防寒用のインナーウエア２０と一緒に着用できるように構成したことである。
実施例５では、バンド７に代わって、胴部２０ａ、タイツ部２０ｂおよび胴部２０ａの左右に延出形成された腹巻部２０ｃの各ウエアパーツから成るインナーウエア２０を備えている。幅広な帯状を成す腹巻部２０ｃをパッド２に左右両端に着脱自在に取り付けている。
【００４４】
パッド２には、耳部４、５に代わって、コの字状の鉤部２１が取り付けられており、使用時には、使用者がインナーウエア２０を履いて、腹巻部２０ｃのファスナー付端部２０ｄを鉤部２１に巻き付けることによりパッド２が使用者の中腹部Ｐ５に装着される。
実施例５では、パッド２を防寒用のインナーウエア２０とともに、着用することができて便利である。
【００４５】
〔実施例６の構成〕
図６は本発明の実施例６を示す。
図６（ａ）に示すスノーボード練習装置の３０のパッド３１は、半円筒状に形成されて中央に位置する主部３１ａを有する。主部３１ａの左端部および右端部にそれぞれゴム紐３２ａ、３２ｂにより連結された左半筒部３１ｂと右半筒部３１ｃとを有する。ゴム製のバンド３３は、一端部を左半筒部３１ｂのゴム紐３２ａに連結し、他端部を右半筒部３１ｃのゴム紐３２ｂに連結している。
【００４６】
使用者Ｕの中腹部Ｐ５に主部３１ａの曲面部３１ｄを当てて、バンド３３によりパッド３１を使用者Ｕに装着し、スノーボードＳｐの練習をする際、スノーボードＳｐ上で膝を曲げ、曲面部３１ｄを中腹部Ｐ５に当ててパッド３１を抱き込むことにより、使用者Ｕの重心をスノーボードＳｐ寄りに低下させた基本姿勢を保持する。
【００４７】
実施例６では、実施例１と同様な効果を奏する他、使用者Ｕがバンド３３を中腹部Ｐ５に強く巻くほど、ゴム紐３２ａ、３２ｂが長く伸びて右半筒部３１ｃおよび左半筒部３１ｂが中腹部Ｐ５に対して曲り難くなる（図６（ｂ）参照）。
このため、バンド３３を強く締めても、右半筒部３１ｂおよび左半筒部３１ｃが中腹部Ｐ５に強く食い込むことがなく安心して使用できる。  
【００４８】
〔実施例７の構成〕
図７は本発明の実施例７を示す。
実施例７におけるパッド２は、一枚の弾性板を弾性変形により湾曲状に曲成した半円筒状を成し、パッド２の中央部には、中腹部Ｐ５に沿わすため、折曲げ可能な可撓性の蛇腹部２ｋを一体形成している。
実施例７では、パッド２が蛇腹部２ｋを有するので、パッド２を使用者Ｕの中腹部Ｐ５にぴったり沿わせて着用し易くなる。
【００４９】
〔実施例８の構成〕
図８（ａ）は本発明の実施例８を示す。実施例８が実施例１と異なるところは、パッド２の曲面部２ａに、軸方向Ｔに沿って直線状を成す断面弧状の突条部２ｍを一体形成したことである。
この場合、パッド２の装着時、曲面部２ａを上腹部Ｐ３および下腹部Ｐ４に当て、突条部２ｍを中腹部Ｐ４に当てることができる。このため、パッド２が位置ずれすることなく腹部Ｐ１に密着してパッド２の装着状態がよくなる。
【００５０】
〔実施例９の構成〕
図８（ｂ）は本発明の実施例９を示す。実施例９が実施例１と異なるところは、パッド２の曲面部２ａに、軸方向Ｔに沿って直線状を成すスリット２ｎを設けたことである。
スリット２ｎには、断面弧状で径寸法の異なる二個の突状部２ｓ、２ｑが形成された弾性体製の棒状部２ｗが二個の突状部２ｓ、２ｑのうちいずれかを選択的に外部に向けて着脱可能に設けられる。このため、二個の突状部２ｓ、２ｑのうち使用者Ｕの中腹部Ｐ４に適した突状部２ｓ（２ｑ）を選択して中腹部Ｐ４に当てることができる。
【００５１】
すなわち、棒状部２ｗはゴムなどの弾性体であり、スリット２ｎに対応して設けられたものであり、第１突状部２ｓは、第２突状部２ｑよりも若干径大に設定されている。第１突状部２ｓと第２突状部２ｑとの境界部には、スリット２ｎの開口端部２ｖに対応する条溝部２ｊを形成している。
【００５２】
第１突状部２ｓを臍部Ｐ２に当てる曲面部として用いる場合、パッド２の外部から第２突状部２ｑを弾性的に縮小変形させながらスリット２ｎを通過させ内部に押し入れ、この状態で条溝部２ｊをスリット２ｎの開口端部２ｖに嵌合させて取り付ける。
また、第２突状部２ｑを臍部Ｐ２に当てる曲面部として用いる場合、パッド２の内部から第２突状部２ｑを弾性的に縮小変形させながらスリット２ｎを通過させて外部に突出さ、この状態で条溝部２ｊをスリット２ｎの開口端部２ｖに嵌合させて取り付ける。
【００５３】
〔変形例〕
（ａ）上記実施例１−９におけるパッド２（３１）は、２輪／エスボード・Ｔボードや猫背矯正ベルトとして使用してもよい。
（ｂ）パッド２、３１の曲面部２ａ、３１ｄは円曲面に限らず、円錐曲面部として放物面、双曲面、楕円面などであってもよい。パッド２、３１の曲面部２ａ、３１ｄは、円錐曲面に限らず、種々の曲面あるいは三角形や五角形などの角筒状に変更してもよい。パッド２、３１は中空に限らず、中実となるように形成してもよい。
【００５４】
（ｃ）パッド２の合成樹脂材料としては、下記の樹脂材料を適用することができる。
すなわち、ポリプロピレン、ポリアセタール、ポリアミド（ＰＡ）、ポリカーボネート（ＰＣ）、ポリフェニレンエーテル（ＰＰＥ）、ポリブチレンテレフタレート（ＰＢＴ）、ポリエチレンテレフタレート（ＰＥＴ）、ポリエチレン（ＰＥ）あるいはシンジオタクチックポリスチレン（ＳＰＳ）などのプラスチック材料である。
（ｄ）パッド２は合成樹脂に代わって金属材料により形成してもよい。これの金属材料としては、ステンレス鋼および軟鋼は勿論、銅、アルミニウム、鉄、錫、亜鉛あるいはニッケル合金などを用いることができる。
【産業上の利用可能性】
【００５５】
本発明に係るスノーボード練習用具では、パッドの装着時、練習者の上腹部と下腹部との間の中腹部に曲面部を有するパッドを当てて抱き込む。パッドをゴム素材のバンドで着用することで、曲面部が中腹部に対して常に押圧感を与え、ドッチボールを抱え込むイメージの懐を意識させて、スノーボード上で膝を曲げ、使用者の重心をスノーボード寄りに低下させた基本姿勢を保持する。練習用具の合理性に着目するスノーボード関係業者の需要が喚起されて、関連部品などの流通を介して化学・機械業界への適用が可能となる。
【符号の説明】
【００５６】
１、３０    スノーボード練習用具
２、３１    パッド
２ａ、３１ｄ  曲面部
２ｂ        パッド内の小物入れ室
２ｄ        パッドの内側部
２ｋ        蛇腹部
２ｍ、２ｓ、２ｑ  突状部
２ｎ        スリット
２ｗ        棒状部
７、３３    バンド
１０、１１  蟻溝
１２、１３  蟻ほぞ
１４        調整板
１５        パッドの出入口
２０        インナーウエア
２０ａ      胴部
２０ｂ      タイツ部
２０ｃ      腹巻部
３０ａ      主部
３０ｂ      右半筒部
３０ｃ      左半筒部
３２ａ、３２ｂ  ゴム紐
Ｐ１        腹部
Ｐ２        臍部
Ｐ３        上腹部
Ｐ４        下腹部
Ｐ５        中腹部
Ｓ１−Ｓ４  スポンジ板
Ｓｐ        スノーボード
Ｕ          練習者（使用者）
Ｔ          軸方向
【要約】
【課題】使用者の重心をスノーボード寄りに低く移動させた基本姿勢を常に意識させて練習者のスノーボード滑走を短期間で効果的に上達させることができるスノーボード練習用具１を提供する。
【解決手段】パッド２の装着時、練習者の上腹部と下腹部との間の中腹部に曲面部２ａを有するパッド２を当てて抱き込む。パッド２をゴム素材のバンド７で着用することで、曲面部２ａが中腹部に対して常に押圧感を与え、ドッチボールを抱え込むイメージの懐を意識させて、スノーボード上で膝を曲げ、使用者の重心をスノーボード寄りに低下させた基本姿勢を保持する。これにより、スノーボードの初心者や初級者などの新参の練習者にありがちな棒立ち姿勢などを合理的に矯正することができる。
【選択図】図１【図１】
0005564154.tif 000002
【図２】
0005564154.tif 000003
【図３】
0005564154.tif 000004
【図４】
0005564154.tif 000005
【図５】
0005564154.tif 000006
【図６】
0005564154.tif 000007
【図７】
0005564154.tif 000008
【図８】
0005564154.tif 000009
【図９】
0005564154.tif 000010
【図１０】
0005564154.tif 000011